(57)【要約】【課題】携帯型電子機器から発振される電磁波の影響によるノイズの発生が低減された誘導磁界対応の音声送受信機器ユニットを提供する。【解決手段】音声送受信機器ユニット１は、音声信号ＳＸを発振する誘導磁界送信素子１１が搭載された携帯型電子機器１０と、音声信号ＳＸを受信する誘導磁界受信素子２１が搭載された音声受信機器２０とからなる。音声受信機器２０は、異なる周波数域の信号を低減する複数のフィルタ手段６１、６２と、携帯型電子機器１０から発振される電磁波の周波数情報Ｉ１又は当該情報に基づいて得られたフィルタ選定情報Ｉ２が入力され、誘導磁界受信素子２１に対して、周波数情報Ｉ１に応じて複数のフィルタ手段６１、６２のうちいずれかを選択して接続するフィルタ切替え手段４０とを備え、携帯型電子機器１０は、フィルタ切替え手段４０に情報Ｉ１又はＩ２を入力する情報入力手段１３を備えている。【選択図】図２
2011172076.tif 000002
【特許請求の範囲】
【請求項１】
音声信号を誘導磁界として発振する誘導磁界送信素子が搭載された携帯型電子機器と、
前記誘導磁界送信素子より発振された前記音声信号を受信する誘導磁界受信素子、及び、当該誘導磁界受信素子で受信された前記音声信号を音声出力する音声出力素子が搭載された音声受信機器とからなる音声送受信機器ユニットであって、
前記音声受信機器は、前記誘導磁界受信素子と前記音声出力素子との間に設けられた、異なる周波数域の信号を低減する複数のフィルタ手段と、前記携帯型電子機器から発振される電磁波の周波数情報若しくは当該周波数情報に基づいて得られたフィルタ選定情報が入力され、前記誘導磁界受信素子に対して、前記周波数情報に応じて前記複数のフィルタ手段のうちいずれかを選択して接続するフィルタ切替え手段とを備えたものであり、
前記携帯型電子機器は、前記フィルタ切替え手段に前記周波数情報若しくは前記フィルタ選定情報を入力する情報入力手段を備えたものである音声送受信機器ユニット。
【請求項２】
前記音声受信機器は、
前記音声出力素子に電気的に接続可能に搭載された、外部音声信号を受信可能な外部音声受信素子と、
前記音声出力素子に対して前記誘導磁界受信素子あるいは前記外部音声受信素子を切り替えて接続する受信素子切替え手段とをさらに備えたものである請求項１に記載の音声送受信機器ユニット。
【請求項３】
前記音声受信機器は、
前記複数のフィルタ切替え手段と前記音声出力素子との間に、前記フィルタ切替え手段により選択された前記フィルタ手段から出力された信号を増幅する増幅手段をさらに備えた請求項１又は２に記載の音声送受信機器ユニット。
【請求項４】
前記携帯型電子機器は、前記情報入力手段が搭載された本体と、前記誘導磁界送信素子が搭載された付属部品とからなる請求項１〜３のいずれかに記載の音声送受信機器ユニット。
【発明の詳細な説明】
【技術分野】
【０００１】
本発明は、
音声信号を誘導磁界として発振する誘導磁界送信素子が搭載された携帯型電子機器と、
上記誘導磁界送信素子より発振された音声信号を受信する誘導磁界受信素子、及び、この誘導磁界受信素子で受信された音声信号を音声出力する音声出力素子が搭載された音声受信機器とからなる、
誘導磁界対応の音声送受信機器ユニットに関するものである。
【背景技術】
【０００２】
補聴器を使用している人が携帯電話等の携帯型電子機器から出力された音声を補聴器を通じて聴くことを可能とするHearing Aid Compatibility（補聴器両立性、ＨＡＣ）技術がある。ＨＡＣとして、携帯型電子機器本体に音声信号を誘導磁界として発振する誘導コイル（Ｔ−コイル、誘導磁界送信素子）が搭載された付属部品を取り付け、補聴器内部に携帯型電子機器本体からの音声信号を誘導磁界として受け取る誘導コイル（Ｔ−コイル、誘導磁界受信素子）を搭載する誘導磁界方式がある。この方式では、携帯型電子機器本体から付属部品内の誘導コイルを通じで音声信号が発信され、携帯型電子機器側の誘導コイルと補聴器側の誘導コイルとの共振により、補聴器側の誘導コイルに電子機器からの音声信号が誘導磁界として受信され、その音声信号が補聴器から出力される。
【０００３】
図４を参照して、音声信号を誘導磁界として発振する誘電コイル（誘導磁界送信素子）が搭載された携帯電話等の携帯型電子機器と、携帯型電子機器の誘電コイルより発振された音声信号を受信する誘電コイル（誘導磁界受信素子）を備えた補聴器等の音声受信機器とからなる、誘導磁界対応の音声送受信機器ユニットの従来の構成例について説明する。
ここでは、携帯電話と補聴器を例として図示してある。
【０００４】
音声送受信機器ユニット１０１では、通常モードと誘導コイルモードとの２種類のモードが切り替えられて使用される。
使用者が誘導コイルモードで使用する際には、携帯型電子機器１１０の本体１１０Ｘに誘導コイル１１１が搭載された付属部品１１０Ｙが接続される。
【０００５】
音声受信機器１２０には、
誘導コイルモードにおいて音声信号ＳＸを受信する誘導コイル１２１と、
通常モードにおいて外部音声信号ＳＹを受信するマイク１２２と、
モードに関係なく、受信した音声信号を増幅する増幅回路（Amplifier）１７０と、
増幅器１７０で増幅された音声信号を出力するスピーカ１８０とが備えられている。
【０００６】
音声受信機器１２０にはまた、
通常モードと誘導コイルモードの２種類のモードを手動で切り替える手動入力部と１３１と、
手動入力部１３１に入力され選択されたモードに応じて増幅回路１７０に対して誘導コイル１２１かマイク１２２かのいずれかを選択して接続する切替え回路１３２とが備えられている。
切替え回路１３２の制御は手動入力部１３１と切替え回路１３２との間に介在する制御部１５０を介してなされる。
【０００７】
携帯型電子機器１１０の本体１１０Ｘには、通常モードによる音声出力インターフェースの他に、誘導コイル付属部品接続用インターフェースが搭載されている。携帯型電子機器１１０の本体１１０Ｘには通常モードと誘導コイルモードの２種類のモードを手動で切り替える手動入力部（図示略）が備えられており、当該手動入力部において誘導コイルモードが選択された際には、制御部１１４を介して音声の出力パスが誘導コイル付属部品接続用インターフェース１１２に切り替えられる。
【０００８】
音声の出力パスが誘導コイル付属部品接続用インターフェース１１２に切り替えられると、付属部品１１０Ｙに搭載された誘導コイル１１１を通じて音声信号ＳＸが出力され、この音声信号ＳＸが音声受信機器１２０に搭載された誘導コイル１２１に受信される。この音声信号ＳＸは音声受信機器１２０内の増幅回路１７０とスピーカ１８０とを介して出力される。
【０００９】
音声受信機器の誘導コイルで受信される誘導磁界はオーディオ信号であるため、その周波数は例えば４ｋＨｚ以下と低いのに対して、携帯型電子機器からの電磁波の周波数は非常に高く、通常数百ＭＨｚ以上である。携帯型電子機器から発振される高周波の電磁波の電力変動が音声受信機器側の誘導コイルに影響を与えて不要共振を起こし、音声受信機器の誘導コイルで誘導される磁場を変動させ、音声受信機器から出力される音声に不要な雑音（電磁結合ノイズ）を与えることがある。
【００１０】
例えば、無線通信のパワー変動、ＴＤＭＡ（Time Division Multiple Access）のスイッチング動作、携帯型電子機器と音声受信機器との位置関係の変動等によって、携帯型電子機器から発振されて音声受信機器に受信される電磁波の電力が変動し、これによってＡＭ（Amplitude Modulation）変調成分が補聴器の誘導コイルに誘導されて、不要共振が引き起こされる。
【００１１】
図５は、従来の誘導磁界対応の音声送受信機器ユニットを使用したときに、電磁結合が発生する様子を模式的に示すグラフの例である。横軸は時刻、縦軸は携帯型電子機器から発振される電磁波のうち音声受信機器内の誘導コイルに受信された電力を示している。時刻ｔ１〜ｔ４が使用期間である。携帯型電子機器の使用開始時〜数分間（ｔ１〜ｔ２）、及び使用終了前数分前〜使用終了時（ｔ３〜ｔ４）において、無線通信のパワー変動が大きく変動するので、これらの期間において音声受信機器内の誘導コイルに受信される電力の変動が大きく、不要な電磁結合ノイズが発生しやすい。
使用者自身の携帯型電子機器だけでなく、他者の使用する携帯型電子機器から発振される電磁波の影響も無視できない場合がある。
【００１２】
特許文献１には、携帯電話等が出力する誘導磁界を受信する誘導磁界受信素子を備えた本体の筐体に、誘導磁界受信素子が誘導磁界を主に受け入れる本体の筐体部位を覆うように、電磁波遮蔽用導電層（２１）を設けた補聴器が開示されている（請求項２、図２等）。電磁波遮蔽用導電層（２１）は、携帯電話等からの電磁波を遮蔽する一方、誘導磁界受信素子が受け入れる誘導磁界を実質的に低下させないものとされている（段落００２９）。
【先行技術文献】
【特許文献】
【００１３】
【特許文献１】特開２００５−３１８３４２号公報
【特許文献２】特開２００９−２５８２６８号公報
【発明の概要】
【発明が解決しようとする課題】
【００１４】
特許文献１では、誘導磁界を主に受け入れる本体に、携帯電話等からの電磁波を遮蔽する一方、誘導磁界受信素子が受け入れる誘導磁界を実質的に低下させない電磁波遮蔽用導電層（２１）を設けている。しかしながら、通常は、電磁波遮蔽用導電層を設ければ、誘導磁界受信素子が受け入れる誘導磁界も低下するため、携帯電話等からの電磁波を遮蔽する一方、誘導磁界受信素子が受け入れる誘導磁界を実質的に低下させない電磁波遮蔽用導電層を設計することは難しい。電磁波遮蔽用導電層を設けることなく、不要なノイズを除去できることが好ましい。
【００１５】
特許文献２には、ノイズキャンセリング手段として、マイクロフォンによる収音動作に基づき得られた収音信号にフィルタ処理を施す複数のフィルタ処理手段を備えた信号処理装置とそれを用いた信号処理方法が記載されている（請求項１等）。特許文献２においては、フィルタ処理手段として複数のＮＣフィルタ（図３）が用いられている。特許文献２の段落００３２には、上記信号処理装置が補聴器等に適用できることが記載されている。
【００１６】
しかしながら、特許文献２には誘導磁界対応の音声送受信機器ユニットへの適用については記載がない。誘導磁界対応の音声送受信機器ユニットにおいては、それ専用のノイズキャンセリング機構の開発が必要とされる。誘導磁界対応の音声送受信機器ユニットでは、携帯型電子機器と補聴器等の音声受信機器との接続リンクを考慮して、最適なノイズキャンセリング機構を開発する必要がある。
【００１７】
本発明は上記事情に鑑みてなされたものであり、
音声信号を誘導磁界として発振する誘導磁界送信素子が搭載された携帯型電子機器と、
誘導磁界送信素子より発振された音声信号を受信する誘導磁界受信素子、及び、この誘導磁界受信素子で受信された音声信号を音声出力する音声出力素子が搭載された音声受信機器とからなり、
携帯型電子機器から発振される電磁波の影響によるノイズの発生が低減された誘導磁界対応の音声送受信機器ユニットを提供することを目的とするものである。
【課題を解決するための手段】
【００１８】
本発明の音声送受信機器ユニットは、
音声信号を誘導磁界として発振する誘導磁界送信素子が搭載された携帯型電子機器と、
前記誘導磁界送信素子より発振された前記音声信号を受信する誘導磁界受信素子、及び、当該誘導磁界受信素子で受信された前記音声信号を音声出力する音声出力素子が搭載された音声受信機器とからなる音声送受信機器ユニットであって、
前記音声受信機器は、前記誘導磁界受信素子と前記音声出力素子との間に設けられた、異なる周波数域の信号を低減する複数のフィルタ手段と、前記携帯型電子機器から発振される電磁波の周波数情報若しくは当該周波数情報に基づいて得られたフィルタ選定情報が入力され、前記誘導磁界受信素子に対して、前記周波数情報に応じて前記複数のフィルタ手段のうちいずれかを選択して接続するフィルタ切替え手段とを備えたものであり、
前記携帯型電子機器は、前記フィルタ切替え手段に前記周波数情報若しくは前記フィルタ選定情報を入力する情報入力手段を備えたものである。
【発明の効果】
【００１９】
本発明によれば、
音声信号を誘導磁界として発振する誘導磁界送信素子が搭載された携帯型電子機器と、
誘導磁界送信素子より発振された音声信号を受信する誘導磁界受信素子、及び、この誘導磁界受信素子で受信された音声信号を音声出力する音声出力素子が搭載された音声受信機器とからなり、
携帯型電子機器から発振される電磁波の影響によるノイズの発生が低減された誘導磁界対応の音声送受信機器ユニットを提供することができる。
【図面の簡単な説明】
【００２０】
【図１】本発明に係る一実施形態の誘導磁界対応の音声送受信機器ユニットの使用を説明する概略図である。
【図２】図１の音声送受信機器ユニットの内部構成図である。
【図３】図１の音声送受信機器ユニットの動作を説明するフローチャートである。
【図４】従来の誘導磁界対応の音声送受信機器ユニットの構成図である。
【図５】従来の誘導磁界対応の音声送受信機器ユニットを使用したときに、電磁結合が発生する様子を模式的に示すグラフの例である。
【発明を実施するための形態】
【００２１】
図面を参照して、本発明に係る一実施形態の誘導磁界対応の音声送受信機器ユニットの構成について説明する。図１は本実施形態の誘導磁界対応の音声送受信機器ユニットの使用を説明する概略図である。図２は本実施形態の音声送受信機器ユニットの内部構成図である。図３は本実施形態の音声送受信機器ユニットの動作を説明するフローチャートである。図１においては各構成の縮尺を適宜異ならせてあり、音声受信機器２０等を実際のものより大きく誇張して図示してある。
【００２２】
図１及び図２に示すように、本実施形態の音声送受信機器ユニット１は、音声信号ＳＸを発振する携帯型電子機器１０と、携帯型電子機器１０から発振された音声信号ＳＸと外部音声信号ＳＹとを切り替えて受信し、受信した音声信号を音声出力する音声受信機器２０とにより構成されている。
【００２３】
携帯型電子機器１０としては、携帯電話、ＰＤＡ（Personal Data Assistance，Personal Digital Assistants：個人向け携帯型情報通信機器）、及び携帯型オーディオプレーヤー等が挙げられる。音声受信機器２０としては、補聴器、イヤフォン、及びヘッドフォン等が挙げられる。
【００２４】
携帯型電子機器１０は、本体１０Ｘと付属部品１０Ｙとから構成されている。付属部品１０Ｙは本体１０Ｘへの着脱が可能であり、その内部に音声信号ＳＸを誘導磁界として発振する誘導コイル（Ｔ−コイル、誘導磁界送信素子）１１が搭載されている。本体１０Ｘには、携帯型電子機器１０と通信基地局１００との間で電磁波の送受信を行うためのアンテナ１０Ｚが取り付けられている。
【００２５】
音声受信機器２０には、携帯型電子機器１０の誘導コイル１１より発振された音声信号ＳＸを誘導磁界として受信する誘導コイル（Ｔ−コイル、誘導磁界受信素子）２１と、外部音声信号ＳＹを受信可能なマイク（外部音声受信素子）２２（図１中、略）とが搭載されている。
音声受信機器２０には、音声信号ＳＸと外部音声信号ＳＹとが音声出力されるスピーカ（音声出力素子）８０が搭載されている。
【００２６】
図２に示すように、音声受信機器２０には、スピーカ８０に対して誘導コイル２１あるいはマイク２２を切り替えて接続する受信素子切替え手段３０が搭載されている。受信素子切替え手段３０には、使用者Ｐが通常モードと誘導コイルモードの２種類のモードを手動で切り替える手動入力部３１と、手動入力部３１に入力され選択されたモードに応じてスピーカ８０に対して誘導コイル２１かマイク２２のいずれかを選択して接続する切替え回路３２と、手動入力部３１に入力された信号が入力され、この信号に基づいて切替え回路３２を制御する制御部５０とが含まれている。
【００２７】
音声受信機器２０にはさらに、
誘導コイル２１により受信された音声信号に含まれたノイズ信号を低減するために設けられ、異なる周波数域の信号を低減する複数のフィルタ回路（フィルタ手段）６１、６２と、
携帯型電子機器１０から発振される電磁波の周波数情報Ｉ１に基づいて、切替え回路３２に対して複数のフィルタ回路６１、６２のうちいずれかを選択して接続するフィルタ切替え手段４０とが搭載されている。
本実施形態では、２個のフィルタ回路６１、６２が備えられているが、フィルタ回路の数は３個以上でも構わない。
【００２８】
フィルタ切替え手段４０には、
携帯型電子機器１０の後記フィルタ回路切替え用インターフェース１３において上記周波数情報Ｉ１に基づいて得られたフィルタ選定情報Ｉ２が入力される外部接続インターフェース４３と、
切替え回路３２に対して、フィルタ選定情報Ｉ２に応じて複数のフィルタ回路６１、６２のうちいずれかを選択して接続する切替え回路４４と、
外部接続インターフェース４３に入力されたフィルタ選定情報Ｉ２が入力され、この信号に基づいて切替え回路４４を制御する制御部５０とが含まれている。
フィルタ切替え手段４０によって、複数のフィルタ回路６１、６２のうち、携帯型電子機器１０から発振される電磁波の周波数の信号がより効果的に除去できる方のフィルタ回路が選択される。
【００２９】
音声受信機器２０にはさらに、
複数のフィルタ回路６１、６２とスピーカ８０との間に、フィルタ切替え手段４０により選択されたフィルタ回路６１又は６２から出力された信号を増幅する増幅回路（Amplifier、増幅手段）７０が搭載されている。
【００３０】
携帯型電子機器１０の本体１０Ｘには、通常モードによる音声出力インターフェース（図示略）の他に、誘導コイル付属部品接続用インターフェース１２が搭載されている。
本体１０Ｘには各種インターフェースを制御する制御部１４が搭載されている。本体１０Ｘには通常モードと誘導コイルモードの２種類のモードを手動で切り替える手動入力部（図示略）が備えられており、当該手動入力部において誘導コイルモードが選択された際には、制御部１４により音声の出力パスが誘導コイル付属部品接続用インターフェース１２に切り替えられる。
【００３１】
携帯型電子機器１０においては、携帯型電子機器１０の通信基地局１００において、携帯型電子機器１０から発振される電磁波の周波数が随時測定され、その周波数情報Ｉ１が無線通信を通じて制御部１４に随時入力される。
携帯型電子機器１０の本体１０Ｘには、制御部１４から周波数情報Ｉ１が入力され、この周波数情報Ｉ１に基づいてフィルタ回路６１、６２のうち、携帯型電子機器１０から発振される電磁波の周波数の信号がより効果的に除去できる方のフィルタ回路を選定し、得られたフィルタ選定情報Ｉ２を音声受信機器２０のフィルタ回路切替え用インターフェース４３にコマンド送信するフィルタ回路切替え用インターフェース（情報入力手段）１３が搭載されている。
【００３２】
本実施形態において、携帯型電子機器１０のフィルタ回路切替え用インターフェース１３と音声受信機器２０の外部接続インターフェース４３とは有線ケーブル９０を介して電気的に接続される。ただし、これらインターフェース１３、４３間の接続は有線接続に限らず、無線インターネット回線や無線ＩＣタグ等を利用した無線通信接続でも構わない。
【００３３】
図２及び図３を参照して、音声送受信機器ユニット１の動作を説明する。
携帯型電子機器１０及び音声受信機器２０において誘導コイルモードが選択されると（ステップＳ１）、音声受信機器２０において受信素子切替え手段３０により信号受信素子として誘導コイル２１が選択される。
携帯型電子機器１０は、携帯型電子機器１０から発振される電磁波の周波数情報Ｉ１を取得し、携帯型電子機器１０のフィルタ回路切替え用インターフェース１３はこの周波数情報Ｉ１に基づいてフィルタ回路６１、６２のうち、携帯型電子機器１０から発振される電磁波の周波数の信号がより効果的に除去できる方のフィルタ回路を選定して、フィルタ選定情報Ｉ２を得る（ステップＳ２）。さらに、フィルタ回路切替え用インターフェース１３は得られたフィルタ選定情報Ｉ２を音声受信機器２０のフィルタ回路切替え用インターフェース４３にコマンド送信する（ステップＳ３）。
【００３４】
音声受信機器２０は、フィルタ回路切替え用インターフェース１３に入力されたフィルタ選定情報Ｉ２に基づいてフィルタ切替え手段４０によりフィルタ回路６１、６２の切替えを実施する（ステップＳ４）。以上のようにして、音声受信機器２０のスピーカ８０から誘導コイルモードの音声が出力される（ステップＳ５）。
【００３５】
本実施形態においては携帯型電子機器１０を使用する誘導コイルモードにおいて、携帯型電子機器１０から発振される電磁波の周波数に応じて適切なフィルタ回路６１、６２が選択されて、携帯型電子機器１０から発振される電磁波によって音声受信機器２０の誘導コイル２１に発生する電磁結合ノイズ信号が効果的に除去される。
【００３６】
「背景技術」の項において図５を参照して説明したように、一般に携帯型電子機器の使用においては、使用開始時〜数分間（ｔ１〜ｔ２）の間に発振される電磁波の電力の変動が大きく、ノイズ信号が発生しやすい。本実施形態では、携帯型電子機器１０の使用開始と同時に、携帯型電子機器１０に対して基地局１００から携帯型電子機器１０から発振される電磁波の周波数情報Ｉ１が入力されて、直ちに適切なフィルタ回路６１、６２が選択されて、携帯型電子機器１０から発振される電磁波によって発生するノイズ信号を効果的に除去できる。したがって、本実施形態では、ノイズ信号が検出されるよりも前にあらかじめノイズ信号の発生を抑えることができ、ノイズ信号が検出されてからこれを除去するよりも、素早いノイズ対応が可能となる。
【００３７】
通常モードの使用では、信号受信素子としてマイク２２が選択され、マイク２２を通じて受信された外部音声信号ＳＹがスピーカ８０から出力される。
通常モードの使用では、携帯型電子機器１０は使用されないので、いずれのフィルタ回路６１、６２が選定されてもよい。通常モードの使用では、フィルタ回路６１、６２を通さずに音声出力してもよい。
本実施形態においては、誘導コイルモードにおいて、携帯型電子機器１０の近傍で使用される他者の携帯型電子機器から発振される電磁波の影響によるノイズ信号についてもある程度除去することが可能である。
【００３８】
また、携帯型電子機器１０が、基地局１００を介して携帯型電子機器１０から発振される電磁波の周波数情報Ｉ１を取得する際に、同時に携帯型電子機器１０の近傍で使用される他者の携帯型電子機器から発振される電磁波の周波数情報についても取得するようにすれば、
誘電コイルモードにおいて、携帯型電子機器１０及びその近傍で使用される他者の携帯型電子機器から発振される電磁波の周波数情報に応じてフィルタ回路６１、６２の切替えが実施され、使用者の近傍で他者が使用する携帯型電子機器から発振される電磁波の影響によるノイズ信号についても効果的に除去でき、好ましい。
かかる態様では、通常モードにおいても、携帯型電子機器１０を音声受信機器２０に接続しておくことで、使用者の近傍で他者が使用する携帯型電子機器から発振される電磁波の影響によるノイズ信号が効果的に除去でき、好ましい。
【００３９】
以上説明したように、本実施形態によれば、携帯型電子機器１０から発振される電磁波の影響によるノイズの発生が低減された誘導磁界対応の音声送受信機器ユニット１を提供することができる。
【００４０】
（設計変更）
本発明は上記実施形態に限らず、本発明の趣旨を逸脱しない範囲内において適宜設計変更が可能である。
【００４１】
上記実施形態では、携帯型電子機器１０の制御部１４において、携帯型電子機器１０から発振される電磁波の周波数情報Ｉ１を取得し、携帯型電子機器１０のフィルタ回路切替え用インターフェース１３において周波数情報Ｉ１に基づいてフィルタ回路６１、６２のうち、携帯型電子機器１０から発振される電磁波の周波数の信号がより効果的に除去できる方のフィルタ回路を選定し、同インターフェース１３が得られたフィルタ選定情報Ｉ２を音声受信機器２０のフィルタ回路切替え用インターフェース４３にコマンド送信する構成とした。
【００４２】
本発明は上記態様に限定されず、音声受信機器２０のフィルタ回路切替え用インターフェース４３に携帯型電子機器１０から発振される電磁波の周波数情報Ｉ１が入力され、同インターフェース４３において、携帯型電子機器１０から発振される電磁波の周波数の信号がより効果的に除去できる方のフィルタ回路を選定して、フィルタ選定情報Ｉ２を得るようにしてもよい。
【００４３】
上記実施形態では、通常モードと誘電コイルモードのいずれにおいても、同じスピーカ８０から音声出力される構成としたが、通常モードの音声出力と誘電コイルモードの音声出力は異なるスピーカにより実施されてもよい。
上記本実施形態では、通常モードと誘電コイルモードの使用が可能な態様について説明したが、本発明は誘電コイルモードのみが可能な音声送受信機器ユニットにも適用可能である。
上記本実施形態では、携帯型電子機器本体に誘導コイルが搭載された付属部品を取り付ける態様について説明したが、携帯型電子機器本体に誘導コイルを搭載することも可能である。
【符号の説明】
【００４４】
１  音声送受信機器ユニット
１０  携帯型電子機器
１０Ｘ    本体
１０Ｙ    付属部品
１１  誘導コイル（誘導磁界送信素子）
１２  誘導コイル付属部品接続用インターフェース
１３  フィルタ回路切替え用インターフェース（情報入力手段）
１４  制御部
２０  音声受信機器
２１  誘導コイル（誘導磁界受信素子）
２２  マイク（外部音声受信素子）
３０  受信素子切替え手段
３１  手動入力部
３２  切替え回路
４０  フィルタ切替え手段
４３  外部接続インターフェース
４４  切替え回路
５０  制御部
６１、６２  フィルタ回路（フィルタ手段）
７０  増幅回路（増幅手段）
８０  スピーカ（音声出力素子）
Ｉ１  周波数情報
Ｉ２  フィルタ選定情報
ＳＸ  音声信号
ＳＹ  外部音声信号
【図１】
2011172076.tif 000003
【図２】
2011172076.tif 000004
【図３】
2011172076.tif 000005
【図４】
2011172076.tif 000006
【図５】
2011172076.tif 000007